(57)【要約】【課題】対象物に波動を効率良く与えることができる波動転写装置を提供すること。【解決手段】一つの実施形態の波動転写装置は、第１の周波数の電気信号である第１信号を生成する第１の発振器と、第１の周波数と異なる第２の周波数の電気信号である第２信号を生成する第２の発振器と、第１信号と第２信号とを合成して第３信号を生成する合成部と、第３信号に対応した波動を出力する出力部と、を備える。【選択図】図４
2020058676.tif 000002
【特許請求の範囲】
【請求項１】
第１の周波数の電気信号である第１信号を生成する第１の発振器と、
前記第１の周波数と異なる第２の周波数の電気信号である第２信号を生成する第２の発振器と、
前記第１信号と前記第２信号とを合成して第３信号を生成する合成部と、
前記第３信号に対応した波動を出力する出力部と、
を備えた波動転写装置。
【請求項２】
前記出力部は、コイルであって、
前記第３信号に対応した波動は、前記第１の周波数と前記第２の周波数とを成分として含む磁気的な波動である、
請求項１に記載の波動転写装置。
【請求項３】
前記出力部は、振動装置であって、
前記第３信号に対応した波動は、前記第１の周波数と前記第２の周波数とを成分として含む機械的な振動である、
請求項１に記載の波動転写装置。
【請求項４】
前記第３信号を出力する信号出力端子をさらに備える、
請求項１から３の何れか一項に記載の波動転写装置。
【請求項５】
予め決められた期間だけ前記第３信号に対応した波動を出力するモードである第１モードと、任意の期間だけ前記第３信号に対応した波動を出力するモードである第２モードとを含む複数のモードの間で一のモードを指定するための入力部をさらに備える、
請求項１から４の何れか一項に記載の波動転写装置。
【発明の詳細な説明】
【技術分野】
【０００１】
本実施形態は、波動転写装置に関する。
【背景技術】
【０００２】
従来、対象物に波動を与えると、対象物と波動との相互作用によって、何らかの反応が得られることが知られている。例えば特許文献１は、人体の部位毎にそれぞれ異なるパターンの磁気的な波動を与え、磁気的な波動に対する反応に応じて各種の分析を実施する技術を開示している。
【先行技術文献】
【特許文献】
【０００３】
【特許文献１】米国特許第５５９２０８６号明細書
【発明の概要】
【発明が解決しようとする課題】
【０００４】
特定の波動が対象物の性質を良化する可能性がある。例えば、人体の特定部位に特定の波動を与えると、体調的な不具合を解消あるいは軽減することができる可能性がある。
【０００５】
本発明の一つの実施形態は、対象物に波動を効率良く与えることができる波動転写装置を提供することを目的とする。
【課題を解決するための手段】
【０００６】
一つの実施形態によれば、波動転写装置は、第１の周波数の電気信号である第１信号を生成する第１の発振器と、第１の周波数と異なる第２の周波数の電気信号である第２信号を生成する第２の発振器と、第１信号と第２信号とを合成して第３信号を生成する合成部と、第３信号に対応した波動を出力する出力部と、を備える。
【発明の効果】
【０００７】
上記実施形態によれば、第１の周波数の電気信号に対応した波動と第２の周波数の電気信号に対応した波動とを同時に対象物に与えることが可能となる。即ち、対象物に波動を効率良く与えることが可能となる。
【図面の簡単な説明】
【０００８】
【図１】図１は、第１の実施形態の波動転写装置の一方向からの外観を示した図である。
【図２】図２は、Ｘ軸の負側からみた第１の実施形態のハウジングの側面の外観を示す図である。
【図３】図３は、第１の実施形態の波動転写装置の内部の構成の一例を示す図である。
【図４】図４は、第１の実施形態の波動転写装置の基板に設けられた回路群の構成の一例を示す図である。
【図５】図５は、第２の実施形態の波動転写装置の一方向からの外観を示した図である。
【発明を実施するための形態】
【０００９】
以下に添付図面を参照して、実施形態にかかる波動転写装置を詳細に説明する。以下に示される実施形態の構成、ならびに当該構成によってもたらされる作用および結果（効果）は、一例である。本発明は、以下の実施形態に開示される構成以外によっても実現可能である。また、本発明によれば、構成によって得られる種々の効果（派生的な効果も含む）のうち少なくとも一つを得ることが可能である。また、図面は全て、模式的かつ例示的なものである。
【００１０】
（第１の実施形態）
図１は、第１の実施形態の波動転写装置の一方向からの外観図である。本図に例示されるように、波動転写装置１のハウジング２は、略直方体の形状を有している。そして、ハウジング２の上面３は、略長方形の形状を有している。
【００１１】
ここで、ハウジング２の底面から上面３への向きをＺ軸と定義する。また、ハウジング２の上面３の長手方向のうちの一つの向きを、Ｘ軸と定義する。また、ハウジング２の上面３の幅方向のうちの一つの向きを、Ｙ軸と定義する。Ｘ軸、Ｙ軸、およびＺ軸は、互いに直交する。
【００１２】
ハウジング２の上面３は、対象物を載置することができるようになっている。ハウジング２の上面３の一部には、波動を転写する（与える）波動転写面４が設けられている。波動転写装置１は、内部で生成した波動を波動転写面４を介して対象物に与えることが可能となっている。
【００１３】
なお、対象物は、生物であってもよいし、非生物であってもよい。例えば、ユーザが、波動転写面４を人体の所望の部位にかざしたり、あるいは押し当てることによって、波動転写装置１は、波動をその部位に転写する（与える）ことも可能である。
【００１４】
さらに、対象物は、有機物であってもよいし、無機物であってもよい。対象物は、固体であってもよいし、液体あるいは気体であってもよい。なお、液体あるいは気体を対象物とする場合、対象物は、例えば容器に充填された状態で波動転写面４に載置される。
【００１５】
第１の実施形態では、波動は、一例として、磁気的な波動、つまり電磁波である。ハウジング２のうちの少なくとも波動転写面４は、磁気的な波動の伝播を阻害しないまたは阻害しにくい材料（例えば樹脂材料）で構成される。これによって、波動転写装置１の内部で生成された磁気的な波動は、波動転写面４を介して対象物に伝播することができる。
【００１６】
波動転写面４には、例えば円形の模様が描画されており、ユーザは、当該模様を視認することによって、ハウジング２の上面３のうちのどの部分が波動転写面４であるかが識別可能である。
【００１７】
Ｘ軸の正側からみたハウジング２の側面５には、パワースイッチ６、モードスイッチ７、スタートスイッチ８、および３つのＬＥＤ９が設けられている。
【００１８】
パワースイッチ６は、電源をオン／オフするためのボタンである。ユーザは、パワースイッチ６を押下することで、波動転写装置１の状態を電源オン状態と電源オフ状態との間で切り替えることができる。
【００１９】
スタートスイッチ８は、波動の転写の開始を指示するためのボタンである。ユーザがスタートスイッチ８を押下すると、波動転写装置１は、波動の転写を開始する。
【００２０】
モードスイッチ７は、波動を転写するモードを切り替えるための入力部である。例えば、波動転写装置１の動作モードは、第１モードおよび第２モードを含む。
【００２１】
第１モードは、スタートスイッチ８が押下されてから予め波動転写装置１に設定された期間（例えば１分間）が経過するまで、波動の転写を継続し、その後、自動的に波動の転写を停止するモードである。
【００２２】
第２モードは、スタートスイッチ８が押下されてから、次にスタートスイッチ８が再び押下されるまでの期間、波動の転写を継続するモードである。
【００２３】
ユーザは、予め波動転写装置１に設定された期間だけ波動の転写を実施したい場合は第１モードを選択することができる。また、ユーザは、波動の転写を停止するタイミングを自由に決めたい場合は第２モードを選択することができる。
【００２４】
なお、波動転写装置１の動作モードの数は、２つに限定されない。波動転写装置１は、１つまたは３つ以上の動作モードで動作可能に構成されてもよい。また、各動作モードの定義は上記に限定されない。設計者は、種々の動作モードを定義することができる。
【００２５】
３つのＬＥＤ９は、波動転写装置１の状態をユーザに提示する表示部である。
【００２６】
例えば、３つのＬＥＤ９は、赤色のＬＥＤ９ａと、黄色のＬＥＤ９ｂと、緑色のＬＥＤ９ｃとを含む。赤色のＬＥＤ９ａが点灯状態であることは、電源オン状態を示し、赤色のＬＥＤ９ａが消灯状態であることは、電源オフ状態であることを示す。
【００２７】
黄色のＬＥＤ９ｂが点灯状態であることは、第１モードが設定されていることを示す。緑色のＬＥＤ９ｃが点灯状態であることは、第２モードが設定されていることを示す。この実施形態では、波動転写装置１の動作モードは、第１モードと第２モードとの二つとしているので、黄色のＬＥＤ９ｂおよび緑色のＬＥＤ９ｃは、択一的に点灯される。
【００２８】
なお、３つのＬＥＤ９は、ユーザに波動転写装置１の状態を提示する表示部の一例である。３つのＬＥＤ９の代わりに、または３つのＬＥＤ９に加えて、表示部は、液晶画面などの表示装置を備え得る。また、表示部が備えるＬＥＤ９の数は３に限定されない。
【００２９】
図２は、Ｘ軸の負側からみた第１の実施形態のハウジング２の側面１０の外観を示す図である。側面１０には、ＡＣアダプタ入力端子１１と、信号出力端子１２とが設けられている。
【００３０】
ＡＣアダプタ入力端子１１には、商用電源から波動転写装置１の駆動するための電力を生成するＡＣアダプタ（不図示）が接続される。波動転写装置１は、ＡＣアダプタ入力端子１１を介して供給される電力によって駆動される。
【００３１】
信号出力端子１２は、スピーカやヘッドホンなどのオーディオ機器によって再生可能な電気信号を出力する端子である。信号出力端子１２から出力される電気信号については後述する。
【００３２】
図３は、第１の実施形態の波動転写装置１の内部の構成の一例を示す図である。本図は、ハウジング２の上面３のパネルを外した状態の波動転写装置１を上方（即ちＺ軸の正側）からみた図である。
【００３３】
ハウジング２の底部には、基板２１が設けられている。そして、ハウジング２の内側の、Ｘ軸の正側の壁面２２には、接続部２３が取り付けられている。接続部２３は、パワースイッチ６、モードスイッチ７、スタートスイッチ８、および３つのＬＥＤ９を側面５に固定するとともに、パワースイッチ６、モードスイッチ７、スタートスイッチ８、および３つのＬＥＤ９と基板２１とを電気的に接続する。
【００３４】
ハウジング２の内側のＸ軸の負側の壁面２４には、接続部２５が取り付けられている。接続部２５は、ＡＣアダプタ入力端子１１および信号出力端子１２を側面１０に固定するとともに、ＡＣアダプタ入力端子１１および信号出力端子１２と基板２１とを電気的に接続する。
【００３５】
基板２１の中央の、波動転写面４に対応した位置には、コイル２６が設けられている。コイル２６は、ミキシング回路３３から供給された電気信号を磁気的な波動として出力する。
【００３６】
コイル２６は、例えば空心コイルである。コイル２６としては、空心コイルとは異なる種類のコイルが採用されてもよい。なお、コイル２６は、第１の周波数と第２の周波数との両方を出力可能な能力を有したものが選択される。第１の周波数、および第２の周波数については後述する。
【００３７】
Ｚ軸の正側からみた基板２１の裏面には、コイル２６に供給される電気信号を生成するための回路群が設けられている。
【００３８】
図４は、第１の実施形態の波動転写装置１の基板２１に設けられた回路群の構成の一例を示す図である。本図に例示されるように、基板２１には、第１の発振器３１、第２の発振器３２、ミキシング回路３３、およびマイクロコンピュータユニット３４が設けられている。パワースイッチ６が押下されると、ＡＣアダプタ入力端子１１に接続されたＡＣアダプタからの電力が、第１の発振器３１、第２の発振器３２、ミキシング回路３３、およびマイクロコンピュータユニット３４のそれぞれに供給される。
【００３９】
第１の発振器３１および第２の発振器３２のそれぞれは、予め決められたそれぞれ異なる周波数の電気信号を生成する。つまり、第１の発振器３１が発振する周波数（第１の周波数）と、第２の発振器３２が発振する周波数（第２の周波数）とは、異なっている。
【００４０】
第１の発振器３１または第２の発振器３２は、水晶振動子やセラミック振動子を用いた発振回路であってもよいし、ＬＣ回路を用いて周波数を発振する回路であってもよい。また、第１の発振器３１または第２の発振器３２は、電圧制御発振器（Voltage-controlled  oscillator：VCO）であってもよい。つまり、第１の発振器３１および第２の発振器３２は、決められた周波数を発振できるものであればよい。
【００４１】
ミキシング回路３３は、第１の発振器３１が生成した第１の周波数の電気信号と、第２の発振器３２が生成した第２の周波数の電気信号と、を合成する合成部である。ミキシング回路３３は、合成後の電気信号（合成信号と表記する）を、コイル２６に供給（出力）する。
【００４２】
コイル２６は、ミキシング回路３３から供給された合成信号に対応した磁気的な波動を出力することができる。つまり、コイル２６は、第１の周波数と第２の周波数とを成分として含む磁気的な波動を出力する。これによって、波動転写装置１は、第１の周波数の磁気的な波動と、第２の周波数の磁気的な波動とを、同時に対象物に与えることが可能となっている。
【００４３】
なお、合成信号は、第１の周波数の成分と第２の周波数の成分とを失わない限り、増幅やフィルタ処理などの任意の加工がなされ得る。合成信号は、任意の加工を経た後にコイル２６に供給され得る。
【００４４】
また、合成部としてのミキシング回路３３は、第１の周波数の電気信号と、第２の周波数の電気信号と、を合成できる限り、任意に構成され得る。ミキシング回路３３は、パッシブミキサであってもよいし、アクティブミキサであってもよい。ミキシング回路３３は、真空管を用いて構成されてもよいし、集積回路として構成されてもよい。また、合成部としての機能は、デジタルシグナルプロセッサやマイクロコンピュータユニット３４によって実現されてもよい。その場合には、第１の周波数の電気信号および第２の周波数の電気信号は、デジタル情報に変換された後に合成部に入力され、合成信号は、アナログ情報に変換された後にコイル２６に出力される。
【００４５】
合成部としてのミキシング回路３３は、さらに、合成信号を信号出力端子１２に供給する。
【００４６】
ユーザは、信号出力端子１２にヘッドフォンやスピーカなどのオーディオ機器を接続することにより、第１の周波数の成分と第２の周波数の成分とを含む波動を音として聴くことが可能である。
【００４７】
マイクロコンピュータユニット３４は、モードスイッチ７、およびスタートスイッチ８の操作に応じて、合成信号の出力のタイミングや、ＬＥＤ９の点灯のタイミングを制御する。
【００４８】
例えば、マイクロコンピュータユニット３４は、電源オン状態においては、赤色のＬＥＤ９ａを点灯状態に維持する。電源オフ状態においては、マイクロコンピュータユニット３４は赤色のＬＥＤ９ａを点灯状態に維持することができないので、赤色のＬＥＤ９ａが消灯される。
【００４９】
また、マイクロコンピュータユニット３４は、モードスイッチ７の操作によって第１モードが指定された場合には、黄色のＬＥＤ９ｂを点灯状態とするとともに緑色のＬＥＤ９ｃを消灯状態とする。マイクロコンピュータユニット３４は、モードスイッチ７の操作によって第２モードが指定された場合には、黄色のＬＥＤ９ｂを消灯状態とするとともに緑色のＬＥＤ９ｃを点灯状態とする。
【００５０】
また、マイクロコンピュータユニット３４は、第１モードが指定された状態においてスタートスイッチ８が押下されると、スタートスイッチ８が押下されてからの経過時間が所定時間（例えば１分）に至るまで、第１の発振器３１および第２の発振器３２のぞれぞれに継続的に電気信号を出力させる。これによって、ミキシング回路３３は、スタートスイッチ８が押下されてから、スタートスイッチ８が押下されてからの経過時間が所定時間に至るまで、合成信号の出力を継続することができる。
【００５１】
マイクロコンピュータユニット３４は、例えば、スタートスイッチ８が押下されてからの経過時間をカウントし、経過時間のカウント値が所定時間に至ると、第１の発振器３１および第２の発振器３２のぞれぞれに電気信号の出力を停止させる。なお、マイクロコンピュータユニット３４は、ソフトウェアカウンタによって経過時間を計測してもよいし、ハードウェアカウンタによって経過時間を計測してもよい。
【００５２】
また、マイクロコンピュータユニット３４は、第２モードが指定された状態においてスタートスイッチ８が押下されると、第１の発振器３１および第２の発振器３２のぞれぞれに電気信号の出力を開始させる。これによって、ミキシング回路３３は、合成信号の出力を開始することができる。マイクロコンピュータユニット３４は、合成信号の出力中にスタートスイッチ８が再び押下されると、第１の発振器３１および第２の発振器３２のぞれぞれに電気信号の出力を停止させる。これによって、ミキシング回路３３は、合成信号の出力を停止することができる。
【００５３】
なお、合成信号の出力のタイミングの制御方法は、上記に限定されない。例えば、第１の発振器３１および第２の発振器３２は、電源オン状態において、電気信号を常時、出力するように構成され、ミキシング回路３３の入力側または出力側の電気信号の経路にスイッチ素子が介在され、マイクロコンピュータユニット３４は、当該スイッチ素子を操作することによって合成信号の出力のタイミングを制御してもよい。
【００５４】
このように、第１の実施形態によれば、波動転写装置１は、第１の周波数の電気信号を生成する第１の発振器３１と、第１の周波数と異なる第２の周波数の電気信号を生成する第２の発振器３２と、第１の発振器３１が生成した第１の周波数の電気信号と第２の発振器３２が生成した第２の周波数の電気信号とを合成した合成信号を生成する合成部としてのミキシング回路３３と、合成信号に対応した波動を出力する出力部としてのコイル２６を備えた。
【００５５】
この構成により、第１の周波数の電気信号に対応した波動と第２の周波数の電気信号に対応した波動とを同時に対象物に与えることが可能となる。
【００５６】
第１の実施形態と比較される技術（比較例と表記する）として、第１の周波数の磁気的な波動と、第２の周波数の磁気的な波動とを、時分割された別々の期間に対象物に与える技術が考えられる。比較例によれば、第１の周波数の波動を転写する時間と、第２の周波数の波動を転写する時間との合計の時間が必要となる。
【００５７】
これに対して、第１の実施形態によれば、波動転写装置１は、第１の周波数の磁気的な波動と、第２の周波数の磁気的な波動とを、同時に対象物に与えることができるので、波動の転写に要する時間が比較例に比べて短縮される。即ち、第１の実施形態によれば、対象物に波動を効率良く与えることが可能となる。
【００５８】
なお、以上の説明においては、合成信号は、２つの信号（第１の周波数の信号と第２の周波数の信号）を合成したものとして説明した。合成信号の元となる信号の数は、２つに限定されない。例えば、合成信号は、それぞれ周波数が異なる１０個の信号が合成されて生成されてもよい。
【００５９】
また、発振器の数は２つに限定されない。発振器の数は１つであってもよいし、３つ以上であってもよい。発振器の数は、合成信号の元となる信号の数に応じて適宜変更され得る。例えば１つの発振器が、第１の周波数と第２の周波数とを発振するように構成されてもよい。
【００６０】
また、第１の実施形態によれば、波動転写装置１は、出力部としてコイル２６を備え、コイル２６は、第１の周波数と第２の周波数とを成分として含む磁気的な波動を出力する。
【００６１】
これによって、第１の周波数と第２の周波数とを成分として含む磁気的な波動を対象物に転写することが可能である。
【００６２】
特定の周波数の磁気的な波動を対象物に与えると、磁気共鳴や電子共鳴によって対象物の性質を変えることができる可能性がある。また、対象物の性質は、周波数によって異なる可能性がある。
【００６３】
例えば、対象物が人体である場合、人体の免疫系、心臓血管系、血液系、内分泌系、呼吸器系、消化器系、泌尿器系、筋肉骨格系、交感神経系、副交感神経系のそれぞれの不調を改善することができる磁気的波動の周波数は、それぞれ異なっている。これらの周波数のうちから第１の周波数および第２の周波数を選択することで、異なる複数の不調を短い時間で改善することが可能となる。
【００６４】
また、対象物が非生物である場合、第１の周波数および第２の周波数を成分として含む磁気的な波動によって、対象物の複数の物性を短い時間で改善することが可能である。
【００６５】
例えば、対象物がＣＤ（Compact  Disc）やアナログＬＰレコードである場合、所定の方法で選択された第１の周波数と第２の周波数とを含む磁気的な波動が対象物に転写されることによって、対象物を再生した際に、音質のメリハリ感やつややかさを得ることが可能となる。なお、対象物は、記録媒体に限定されない。第１の実施形態によれば、ソフト、ハード、アナログ、デジタル、光方式の別を問わず、任意のオーディオシステムの音質を効率よく改善することが可能である。
【００６６】
また、対象物がオイルや水などの液体である場合、第１の周波数および第２の周波数を含む磁気的な波動によって、波動情報を対象物に留めておくことができる可能性がある。対象物に波動情報を留めておくことができれば、その対象物を別の物体（人体やオーディオシステム）に塗布することによって、波動情報をその物体に与えることでその物体の性質を改善することができる可能性がある。
【００６７】
また、第１の実施形態によれば、波動転写装置１は、合成信号を出力する信号出力端子１２をさらに備えている。
【００６８】
ユーザは、信号出力端子１２にヘッドフォンやスピーカなどのオーディオ機器を接続することにより、第１の周波数の成分と第２の周波数の成分とを含む波動を音として聴くことが可能である。これによって、第１の周波数の成分と第２の周波数の成分とを含む音をユーザが聴くことによって、精神的な不調を改善することができる可能性がある。
【００６９】
例えば、欝を改善することができる周波数が第１の周波数として選択され、幻聴を解消することができる周波数が第２の周波数として選択されることで、欝と幻聴とを短い時間で同時に解消することができる可能性がある。
【００７０】
また、第１の実施形態によれば、波動転写装置１は、第１モードおよび第２モードを含む複数のモードから１つのモードを指定するための入力部として、モードスイッチ７を備えている。第１モードは、予め決められた期間だけ波動を出力するモードであり、第２モードは、任意の期間だけ波動を出力するモードである。
【００７１】
ユーザは、第１モードを選択することで、タイマなどによって時間を計測することなく予め決められた時間だけ正確に波動を出力させることが可能となる。
【００７２】
なお、ミキシング回路３３から出力された合成信号は、デジタル信号に変換されて出力されてもよい。
【００７３】
一例では、波動転写装置１は、アナログデジタルコンバータと、記憶装置とを備える。記憶装置は、揮発性メモリであってもよいし、不揮発性メモリであってもよい。記憶装置は、ＳＤカードやＵＳＢメモリのような着脱可能な記録媒体であってもよい。ミキシング回路３３から出力された合成信号は、アナログデジタルコンバータによってデジタル化される。デジタル化された合成信号は、記憶装置にデータとして記録される。データの形式は、特定の形式に限定されない。例えば、データは、ＷＡＶ形式のデータとして記録される。
【００７４】
さらに、波動転写装置１は、データの入出力が可能なインタフェース装置を備えていてもよい。記憶装置に記録されたデータは、インタフェース装置を介して外部に出力され得る。インタフェース装置は、有線で配線が接続されるものであってもよいし、無線で接続されるものであってもよい。インタフェース装置は、ネットワークに接続されるものであってもよい。インタフェース装置は、着脱可能な記録媒体が接続されるものであってもよい。
【００７５】
さらに、波動転写装置１は、デジタル化された合成信号を圧縮する圧縮回路を備えていてもよい。例えば、アナログデジタルコンバータによってデジタル化された合成信号は、この圧縮回路によって、ＷＡＶ形式のデータよりサイズが小さいデータに変換される。圧縮回路は、入力された合成信号を、例えば、ＭＰＥＧ−３形式のデータに圧縮してもよい。なお、圧縮のアルゴリズムはこれに限定されない。圧縮は、マイクロコンピュータユニット３４によって実行されてもよい。なお、波動転写装置１は、デジタル化されたデータに対し、圧縮に限らず、任意の変換処理を実行し得る。
【００７６】
デジタル化された合成信号が記録されたデータは、インターネットを介して配布されてもよい。また、デジタル化された合成信号が記録されたデータは、ＣＤなどを含む任意の記録媒体に記録されて配布されてもよい。ユーザは、当該記録媒体を例えばオーディオ機器やコンピュータなどによって再生することで、合成信号を音として聴くことが可能である。
【００７７】
また、合成信号は、超音波やテレビ、ラジオの電波に乗せてユーザに配信されてもよい。また、合成信号は、電話回線やインターネット（ストリーミング形式）を介してユーザに配信されてもよい。
【００７８】
（第２の実施形態）
第１の実施形態では、波動転写装置１が磁気的な波動を出力できる構成を備えるものとして説明した。波動転写装置１が出力する波動は、磁気的な波動だけに限定されない。例えば、波動転写装置１は、機械的な振動を波動として出力できるように構成されてもよい。
【００７９】
図５は、第２の実施形態の波動転写装置の一方向からの外観図である。第２の実施形態によれば、波動転写装置１は、コイル２６の代わりに振動装置１３を備えている点で第１の実施形態と異なっている。
【００８０】
振動装置１３の振動面１４は、ハウジング２の上面３の一部に露出している。振動面１４は、対象物を載置することが可能である。ユーザは、振動面１４に対象物を置いて波動転写装置１のスタートスイッチ８を操作することによって、対象物に機械的な波動を転写する（与える）ことが可能である。
【００８１】
振動装置１３は、第１の発振器３１、第２の発振器３２、およびミキシング回路３３（図４参照）の協働によって生成された合成信号に対応した機械的な振動を発生させ、振動面１４を振動させる。これによって、振動装置１３は、第１の周波数および第２の周波数を成分として含む機械的な振動を第２の実施形態の波動として出力することができる。
【００８２】
振動装置１３が振動を発生する仕組みは、特定の仕組みに限定されない。例えば、振動装置１３は、圧電素子などの振動子を内蔵しており、当該振動子に合成信号を供給することによって当該振動子を振動駆動する。そして、振動装置１３は、振動子の振動を振動面１４に伝達することによって、振動面１４を振動させる。なお、振動装置１３は、合成信号を増幅するアンプなどを含んでいてもよい。
【００８３】
以上述べたように、第２の実施形態によれば、波動転写装置１は、出力部として振動装置１３を備え、振動装置１３は、波動として、第１の周波数と第２の周波数とを成分として含む機械的な振動を出力する。
【００８４】
これによって、ユーザは、第１の周波数と第２の周波数とを成分として含む機械的な振動を対象物に転写する（与える）ことが可能となる。
【００８５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８６】
１  波動転写装置、２  ハウジング、３  上面、４  波動転写面、５  側面、６  パワースイッチ、７  モードスイッチ、８  スタートスイッチ、１０  側面、１１  ＡＣアダプタ入力端子、１２  信号出力端子、１３  振動装置、１４  振動面、２１  基板、２２  壁面、２３  接続部、２４  壁面、２５  接続部、２６  コイル、３１  第１の発振器、３２  第２の発振器、３３  ミキシング回路、３４  マイクロコンピュータユニット。
【図１】
2020058676.tif 000003
【図２】
2020058676.tif 000004
【図３】
2020058676.tif 000005
【図４】
2020058676.tif 000006
【図５】
2020058676.tif 000007